(57)【要約】【課題】圧縮ガス吐出装置について、新規な構造を提案する。【解決手段】  ここで提案される圧縮ガス吐出装置１００は、弁１０２の受動部１０２ｂに対し、弁１０２が開く方向に直接または間接的に質量体１４１を衝突させる機構（衝突機構１０４）を備えている。この圧縮ガス吐出装置１００は、質量体１４１が、受動部１０２ｂに対し、弁１０２が開く方向に直接または間接的に衝突したときに、弁１０２が開く。弁１０２は、第１バネ１０３の作用によって直ぐに閉じる。質量体１４１を繰り返し衝突させることによって、弁１０２が間欠的に開く。【選択図】図１
2016137443.tif 000002
【特許請求の範囲】
【請求項１】
圧縮ガス室と、
弁と、
第１バネと、
衝突機構と
を備え、
前記圧縮ガス室は、
筐体と、
前記筐体に形成された吐出口と
を備え、
前記弁は、
前記圧縮ガス室内に配置され、前記吐出口に押し当てられて前記吐出口を封口する弁部と、
前記衝突機構から力を受ける受動部と
を備え、    
前記第１バネは、
前記筐体に装着されており、前記弁部を前記吐出口に押し当てる方向に弾性反力を作用させ、かつ、
前記衝突機構は、
質量体と、
前記質量体を、前記受動部に対し、前記弁が開く方向に直接または間接的に衝突させる操作手段と
を備えた、
圧縮ガス吐出装置。
【請求項２】
前記筐体は、
前記弁部の背面に対向した位置に形成された貫通孔を備えており、
前記弁は、
前記吐出口とは反対側の側面から、前記貫通孔を貫通し、前記筐体の外側に延びた軸部を備え、
前記軸部と前記貫通孔の隙間には、シールが配置されており、
前記受動部は、
前記筐体の外側に延びた前記軸部の先端部に設けられている、
請求項１に記載された圧縮ガス吐出装置。
【請求項３】
前記質量体は、前記軸部のうち、前記筐体の外側に延びた部位に軸方向に沿って案内される案内部を有し、
前記操作手段は、
前記筐体の外壁と前記質量体との間に装着された第２バネと、
前記第２バネの弾性反力に抗して、前記質量体を前記受動部から離れる方向に所定距離移動させた後、前記質量体を解放する操作部と
を備えた、
請求項２に記載された圧縮ガス吐出装置。
【請求項４】
前記受動部は、前記軸部の外径方向に延びたつばを有する、請求項３に記載された圧縮ガス吐出装置。
【請求項５】
前記弁は、
前記弁部から前記吐出口を通じて前記圧縮ガス室の外側に延びた軸部を備え、
前記受動部が、当該軸部の先端部に設けられている、
請求項１に記載された圧縮ガス吐出装置。
【請求項６】
前記筐体には、
前記吐出口が形成された側面にブロックが設けられており、
当該ブロックには、
前記吐出口に連通した吐出路と、
前記弁の軸部が挿通される挿通孔と
が形成されている、請求項５に記載された圧縮ガス吐出装置。
【請求項７】
前記衝突機構は、前記質量体と前記操作手段とに加えて、棒材と、第２バネと、第３バネと、フレームとを備えており、
前記フレームは、
前記筐体またはブロックに対して固定され、かつ、
前記受動部に対向する位置にガイド孔が形成されており、
前記棒材は、
前記ガイド孔に挿通されて、前記弁の軸部の軸方向に沿って延びており、
前記棒材の一端は、前記受動部に対向し、抜け止めを備えており、
前記質量体は、
前記棒材によって案内される案内部を有し、
前記ガイド孔に挿通された前記棒材のうち前記受動部に対向する側に延びた部位に装着されており、
前記第２バネは、
前記棒材に装着可能なコイルばねであり、
前記ガイド孔に挿通された前記棒材のうち前記受動部に対向する側に延びた部位において、前記質量体と前記フレームとの間に装着されており、
前記第３バネは、
前記棒材に装着可能なコイルばねであり、
前記ガイド孔に挿通された前記棒材のうち前記受動部とは反対側に延びた部位に装着されており、
前記操作手段は、
前記第２バネの弾性反力に抗して、前記質量体を前記受動部から離れる方向に所定距離移動させた後、前記質量体を解放する操作部を備えた、
請求項５または６に記載された圧縮ガス吐出装置。
【請求項８】
前記衝突機構は、前記質量体と前記操作手段とに加えて、第２バネを備えており、
前記質量体は、扇形形状の部材であり、
前記扇形の中心部に設けられた回転軸と、
前記扇形の周方向の一端に設けられた衝突部と、
被操作部と
を備え、
前記質量体の衝突部は、当該周方向に沿って前記受動部に対向し、
前記質量体の回転軸は、前記筐体またはブロックに対して、前記回転軸を回転可能な状態で固定されており、
前記第２バネは、
前記回転軸を中心として、前記質量体の姿勢を回転方向に対して弾性的に保持し、
前記操作手段は、
前記被操作部を操作し、前記第２バネに抗して、前記衝突部が前記受動部から離れる方向に所定の角度前記質量体を回転させた後、前記質量体を解放する操作部を備えた、
請求項５または６に記載された圧縮ガス吐出装置。
【請求項９】
前記操作部は、操作部材と、アクチュエータとを備えており、
前記操作部材は、
略円板状の部材であり、
周縁部に径方向に突出した爪部と、中心に設けられた回転軸とを備え、
前記回転軸を中心とした周方向において、前記爪部が、前記軸部または前記棒材の軸方向に沿って前記質量体に当たるように配置されており、
前記アクチュエータは、
動力伝達手段を介して前記回転軸周りに前記操作部材を回転させる、
請求項３、４、６または７に記載された圧縮ガス吐出装置。
【請求項１０】
前記操作手段は、ソレノイドアクチュエータを備えた、請求項１に記載された圧縮ガス吐出装置。
【請求項１１】
前記操作手段は、
中空の芯材を備えた前記ソレノイドアクチュエータと、
磁性体と、
第２バネと
を備えており、
前記芯材の中空部は、前記吐出口に向けられており、
前記質量体は、
棒部と、
前記棒部の一端に取り付けられた質量部と
を備え、
前記磁性体は、
前記芯材から突出した前記棒部が挿通される挿通部を有し、
前記質量体の棒部は、
前記磁性体の挿通部と、前記芯材の中空部とに順に挿通されており、かつ、
前記磁性体と軸方向において係合する第１係合部と、
前記芯材と軸方向において係合する第２係合部と
を有し、
前記第２バネは、前記磁性体と前記芯材との間に圧縮された状態で配置され、
前記芯材の中空部から突出した前記棒部の端部が、前記受動部に対し、前記弁が開く方向に直接または間接的に衝突する、
請求項１に記載された圧縮ガス吐出装置。
【発明の詳細な説明】
【技術分野】
【０００１】
本発明は、圧縮ガス吐出装置に関する。
【背景技術】
【０００２】
特開２０１４−０８３５１８号公報には、間欠的にエアブローを吐出する間欠エアブローガンが開示されている。以下、同公報で開示されている間欠エアブローガンを説明する。ここで括弧内の数字は、同公報の図面に付された符号を意味している。ここで開示されるエアブローガンは、エア源（４）からのエアブローガン本体（１）へのエア供給流路（５）に、開閉弁が設けられている。また、エア供給流路（５）には、バイパス流路（７）がある。バイパス流路（７）には、パイロット弁（８）が設けられている。バイパス流路（７）は、開閉弁（６）の２次側に接続されている。エアブローガン本体（１）のエア噴出流路（２）には、エアの一部を逃がす逃がし流路（９）が設けられている。逃がし流路（９）は、パイロット弁（８）の２次側に接続されている。
【０００３】
このエアブローガンは、スイッチレバーを握ると、開閉弁（６）が開く。エアは、エアブローガン本体（１）のエア噴出流路（２）を通じて吐出口（３）から吐出される。エアの一部は、逃がし流路（９）に流れてパイロット弁（８）を開いた状態にする。パイロット弁（８）が開かれると、バイパス流路（７）にエアが流れて、開閉弁（６）を閉じる側に切り替える。開閉弁（６）を閉じる側に切り替わると、エア噴出流路（２）の圧力が下がり、逃がし流路（９）に流れるエアの圧力も減る。逃がし流路（９）に流れるエアの圧力が減ると、バネの作用でパイロット弁（８）が閉じられる。パイロット弁（８）が閉じられると、開閉弁（６）の２次側にエアが供給されないので、開閉弁（６）はバネにより、開いた状態に復帰する。このように、ここでは、開閉弁（６）は、開いた状態と閉じた状態が切り替えられる。このため、間欠エアブローガンは、吐出口（３）から間欠的にエアが吐出する。
【先行技術文献】
【特許文献】
【０００４】
【特許文献１】特開２０１４−０８３５１８号公報
【発明の概要】
【発明が解決しようとする課題】
【０００５】
ところで、上述した間欠エアブローガンは、エアの一部を逃がし流路に流す必要がある。このため、吐出されるエアの圧力が損なわれる。また、上述した間欠エアブローガンは、吐出させるエアの圧力と、間欠的にエアを吐出させる時間的な間隔との両方を調整することや、適宜に変更することは難しい。また、上述した間欠エアブローガンは、吐出されるエアの圧力が上がるまでの立ち上がりが遅い。ここでは、間欠的にエアを吐出することができる圧縮ガス吐出装置について、新規な構造を提案する。
【課題を解決するための手段】
【０００６】
ここで提案される圧縮ガス吐出装置は、圧縮ガス室と、弁と、第１バネと、衝突機構とを備えている。圧縮ガス室は、筐体と、筐体に形成された吐出口とを備えている。弁は、圧縮ガス室内に配置され、吐出口に押し当てられて吐出口を封口する弁部と、衝突機構から力を受ける受動部とを備えている。第１バネは、筐体に装着されており、弁部を吐出口に押し当てる方向に弾性反力を作用させる。衝突機構は、質量体と、質量体を、受動部に対し、弁が開く方向に直接または間接的に衝突させる操作手段とを備えている。この圧縮ガス吐出装置は、質量体が、受動部に対し、弁が開く方向に直接または間接的に衝突したときに、弁が開く。第１バネの作用によって弁は直ぐに閉じる。質量体を繰り返し衝突させることによって、弁が間欠的に開く。
【０００７】
筐体は、弁部の背面に対向した位置に形成された貫通孔を備えていてもよい。弁は、吐出口とは反対側の側面から、貫通孔を貫通し、筐体の外側に延びた軸部を備えていてもよい。軸部と貫通孔の隙間には、シールが配置されていてもよい。受動部は、筐体の外側に延びた前記軸部の先端部に設けられていてもよい。
【０００８】
また、質量体は、軸部のうち、筐体の外側に延びた部位に軸方向に沿って案内される案内部を有していてもよい。この場合、操作手段は、筐体の外壁と前記質量体との間に装着された第２バネと、第２バネの弾性反力に抗して、質量体を前記受動部から離れる方向に所定距離移動させた後、質量体を解放する操作部とを備えていてもよい。
【０００９】
受動部は、軸部の外径方向に延びたつばを有していてもよい。また、弁は、弁部から吐出口を通じて圧縮ガス室の外側に延びた軸部を備えていてもよい。受動部は、当該軸部の先端部に設けられていてもよい。
【００１０】
また、筐体には、吐出口が形成された側面にブロックが設けられていてもよい。当該ブロックには、吐出口に連通した吐出路と、弁の軸部が挿通される挿通孔とが形成されていてもよい。衝突機構は、質量体と操作手段とに加えて、棒材と、第２バネと、第３バネと、フレームとを備えていてもよい。この場合、フレームは、筐体またはブロックに対して固定されていてもよい。受動部に対向する位置にガイド孔が形成されていてもよい。ここで、棒材は、ガイド孔に挿通されて、弁の軸部の軸方向に沿って延びており、棒材の一端は、受動部に対向し、抜け止めを備えているとよい。質量体は、棒材によって案内される案内部を有し、ガイド孔に挿通された棒材のうち受動部に対向する側に延びた部位に装着されているとよい。第２バネは、棒材に装着可能なコイルばねであり、ガイド孔に挿通された棒材のうち受動部に対向する側に延びた部位において、質量体とフレームとの間に装着されているとよい。第３バネは、棒材に装着可能なコイルばねであり、ガイド孔に挿通された棒材のうち受動部とは反対側に延びた部位に装着されているとよい。操作手段は、第２バネの弾性反力に抗して、質量体を受動部から離れる方向に所定距離移動させた後、質量体を解放する操作部を備えているとよい。
【００１１】
また、衝突機構は、質量体と操作手段とに加えて、第２バネを備えているとよい。ここで、質量体は、扇形形状の部材であり、回転軸と、衝突部と、被操作部とを備えているとよい。ここで、回転軸は、扇形の中心部に設けられているとよい。衝突部は、扇形の周方向の一端に設けられているとよい。質量体の衝突部は、当該周方向に沿って受動部に対向しているとよい。質量体の回転軸は、筐体またはブロックに対して、回転軸を回転可能な状態で固定されているとよい。第２バネは、回転軸を中心として、質量体の姿勢を回転方向に対して弾性的に保持するとよい。操作手段は、被操作部を操作し、第２バネに抗して、衝突部が受動部から離れる方向に所定の角度前記質量体を回転させた後、質量体を解放する操作部を備えているとよい。
【００１２】
また、操作部は、操作部材と、アクチュエータとを備えていてもよい。この場合、操作部材は、略円板状の部材であり、周縁部に径方向に突出した爪部と、中心に設けられた回転軸とを備えているとよい。また、回転軸を中心とした周方向において、爪部が、軸部または棒材の軸方向に沿って質量体に当たるように配置されているとよい。アクチュエータは、動力伝達手段を介して回転軸周りに操作部材を回転させるとよい。
【００１３】
また、操作手段は、ソレノイドアクチュエータを備えていてもよい。
【００１４】
例えば、操作手段は、中空の芯材を備えた前記ソレノイドアクチュエータと、磁性体と、第２バネとを備えていてもよい。例えば、芯材の中空部は、吐出口に向けられているとよい。質量体は、棒部と、棒部の一端に取り付けられた質量部とを備えているとよい。磁性体は、芯材から突出した棒部が挿通される挿通部を有しているとよい。質量体の棒部は、磁性体の挿通部と、芯材の中空部とに順に挿通されており、かつ、磁性体と軸方向において係合する第１係合部と、芯材と軸方向において係合する第２係合部とを有しているとよい。第２バネは、磁性体と芯材との間に圧縮された状態で配置され、芯材の中空部から突出した棒部の端部が、受動部に対し、弁が開く方向に直接または間接的に衝突するとよい。
【図面の簡単な説明】
【００１５】
【図１】図１は、吐出口１２２が閉じられた状態を示す圧縮ガス吐出装置１００の断面図である。
【図２】図２は、衝突機構１０４において、質量体１４１が操作されている状態を示す圧縮ガス吐出装置１００の断面図である。
【図３】図３は、質量体１４１が受動部１０２ｂに衝突し、弁１０２が開かれた状態を示す圧縮ガス吐出装置１００の断面図である。
【図４】図４は、圧縮ガス吐出装置２００を示す断面図である。
【図５】図５は、圧縮ガス吐出装置３００を示す部分断面図である。
【図６】図６は、圧縮ガス吐出装置４００を示す部分断面図である。
【図７】図７は、圧縮ガス吐出装置４００を示す部分断面図である。
【図８】図８は、圧縮ガス吐出装置５００を示す部分断面図である。
【図９】図９は、圧縮ガス吐出装置５００を示す部分断面図である。
【図１０】図１０は、圧縮ガス吐出装置５００を示す部分断面図である。
【発明を実施するための形態】
【００１６】
以下、ここで提案される圧縮ガス吐出装置についての一実施形態を説明する。ここで説明される実施形態は、当然ながら特に本発明を限定することを意図したものではない。また、各図は模式的に描かれており、例えば、各図における寸法関係（長さ、幅、厚さ等）は実際の寸法関係を反映するものではない。また、同じ作用を奏する部材・部位には同じ符号を付す。各実施例において、重複する説明は適宜に省略または簡略化する。
【００１７】
〈圧縮ガス吐出装置１００〉
ここではまず第１実施例を説明する。図１から図３は、圧縮ガス吐出装置１００の断面図である。ここで、図１は、吐出口１２２が閉じられた状態を示している。図２は、衝突機構１０４において、質量体１４１が操作されている状態を示している。図３は、質量体１４１が受動部１０２ｂに衝突し、弁１０２が開かれた状態を示している。ここではまず、圧縮ガス吐出装置１００の概要を説明する。圧縮ガス吐出装置１００は、図１に示すように、圧縮ガス室１０１と、弁１０２と、第１バネ１０３と、衝突機構１０４とを備えている。
【００１８】
圧縮ガス室１０１は、筐体１２１と、筐体１２１に形成された吐出口１２２とを備えている。弁１０２は、圧縮ガス室１０１内に配置されている。弁１０２は、弁部１０２ａと受動部１０２ｂとを備えている。弁部１０２ａは、吐出口１２２に押し当てられて吐出口１２２を封口する部位である。受動部１０２ｂは、衝突機構１０４から力を受ける部位である。第１バネ１０３は、筐体１２１に装着されており、弾性反力によって弁部１０２ａを吐出口１２２に押し当てる。衝突機構１０４は、質量体１４１と、操作手段１４２とを備えている。ここで操作手段１４２は、質量体１４１を、受動部１０２ｂに対し、弁１０２が開く方向に直接または間接的に衝突させる機構を備えている。
【００１９】
図１に示す状態では、第１バネ１０３の作用によって、弁部１０２ａが吐出口１２２に押し付けられている。この状態では、吐出口１２２が閉じられている。図２および図３に示すように、質量体１４１は、操作手段１４２によって操作され、受動部１０２ｂに対して弁１０２が開く方向に衝突する。
【００２０】
図３に示すように、受動部１０２ｂに対して弁１０２が開く方向に質量体１４１が衝突すると、反動で第１バネ１０３に抗して弁１０２が開かれる。開かれた弁１０２は、第１バネ１０３の作用によって再び閉じられる。このとき、圧縮ガス室１０１に圧縮されたガスが溜まっている場合には、弁１０２が開かれたタイミングで一時的にガスが吐出される。弁１０２が閉じられるとガスの吐出が止まる。このように圧縮ガス吐出装置１００は、質量体１４１を操作し、受動部１０２ｂに衝突させることによって、弁１０２が一時的に開く。操作手段１４２によって繰り返し操作して、質量体１４１を受動部１０２ｂに連続的に衝突させることによって弁１０２を間欠的に開くことができる。質量体１４１を受動部１０２ｂに衝突させて弁１０２を開くタイミングは、衝突機構１０４によって調整できる。圧縮ガス室１０１内から必要以上に圧縮空気が吐出されないので、圧縮ガス室１０１内の圧力が高く維持され易い。また、第１バネ１０３の強さを調整することによって、弁１０２が開かれる時間を短くできる。
【００２１】
以下、圧縮ガス吐出装置１００をより具体的に説明する。
【００２２】
〈筐体１２１、円筒体１２１ａ〉
図１に示す実施形態では、筐体１２１は、円筒体１２１ａと、蓋体１２１ｂとを備えている。円筒体１２１ａは、片側が開口した有底の円筒形状である。吐出口１２２は、かかる円筒体１２１ａの底部の中心部に形成されている。円筒体１２１ａの側部には、圧縮ガスを供給する供給口１２３が設けられている。ここでは、円筒体１２１ａの側部に形成した孔にコネクタ１２３ａが取り付けられている。供給口１２３は、かかるコネクタ１２３ａに形成されている。コネクタ１２３ａの外側の端部には、圧縮空気を供給する配管を接続する接続部１２３ａ１が設けられている。かかるコネクタ１２３ａの接続部１２３ａ１には、例えば、図示は省略するが、接続されたコンプレッサから筐体１２１内に圧縮ガスが供給される。筐体１２１内にガスが供給されることによって、筐体１２１内の圧力が一定に保たれる。
【００２３】
〈蓋体１２１ｂ〉
蓋体１２１ｂは、円筒体１２１ａの開口を気密に塞ぐ部材である。この実施形態では、蓋体１２１ｂは、円筒体１２１ａの開口に応じた形状を有するキャップ部１２１ｂ１と、円筒体１２１ａの開口の縁に沿って延びたフランジ部１２１ｂ２とを備えている。この実施形態では、蓋体１２１ｂは、円筒体１２１ａの開口にキャップ部１２１ｂ１を嵌め、フランジ部１２１ｂ２を円筒体１２１ａの開口の縁に沿って装着している。かかる円筒体１２１ａの開口の縁と、フランジ部１２１ｂ２との間には、図示は省略するがシール材が装着されている。蓋体１２１ｂの外側には、外側に突出した段差１２１ｂ３が設けられている。かかる段差１２１ｂ３には、後述する操作手段１４２のケース１４２ｃが嵌められる。
【００２４】
〈貫通孔１２４〉
筐体１２１には、弁部１０２ａの背面に対向した位置に貫通孔１２４が形成されている。具体的には、蓋体１２１ｂの中心部には、圧縮ガス室１０１の内側に突出した突部１２１ｂ４と、圧縮ガス室１０１の外側に突出した突部１２１ｂ５とが設けられている。貫通孔１２４は、当該圧縮ガス室１０１の内側と外側に突出した突部１２１ｂ４、１２１ｂ５の中心に沿って貫通している。
【００２５】
〈弁１０２〉
弁１０２は、弁部１０２ａと、受動部１０２ｂと、軸部１０２ｃとを備えている。ここで、弁部１０２ａは、吐出口１２２に押し付けられた際に、吐出口１２２を気密に塞ぐ部位である。弁部１０２ａには、吐出口１２２に押し付けられる側とは反対側の側面から軸部１０２ｃが延びている。軸部１０２ｃは、蓋体１２１ｂに形成された貫通孔１２４を貫通し、筐体１２１の外側に延びている。第１バネ１０３は、弁部１０２ａの軸部１０２ｃに装着されるコイルバネである。第１バネ１０３は、突部１２１ｂ４の先端に設けられたバネ座と、弁１０２の弁部１０２ａの背面に設けられたバネ座との間に圧縮された状態で装着されている。受動部１０２ｂは、蓋体１２１ｂの貫通孔１２４を貫通し、筐体１２１の外側に延びた軸部１０２ｃの先端に設けられている。この実施形態では、受動部１０２ｂは、筐体１２１の外側に延びた軸部１０２ｃの先端に設けられており、軸部１０２ｃの外径方向に延びたつば１３３を有している。
【００２６】
〈シール１２５〉
軸部１０２ｃと貫通孔１２４の隙間には、シール１２５が配置されている。シール１２５は、貫通孔１２４に対して軸部１０２ｃが滑り動くのを許容しつつ、軸部１０２ｃと貫通孔１２４との隙間の気密性を確保する部材である。この実施形態では、シール１２５は、貫通孔１２４の中間部位において、内周面に形成された溝に装着されており、シール１２５の内周面が軸部１０２ｃの外周面に押し当てられている。なお、シール１２５は、貫通孔１２４の内周面に設けられているが、かかる構成に限定されない。例えば、シール１２５は、弁１０２の軸部１０２ｃに装着されていてもよい。また、シール１２５は、貫通孔１２４の中間部位の一箇所に配置されているが、貫通孔１２４の内周面や軸部１０２ｃに複数配置されていてもよい。
【００２７】
〈質量体１４１〉
衝突機構１０４の質量体１４１は、弁１０２の軸部１０２ｃのうち、筐体１２１の外側に延びた部位に軸方向に沿って案内される案内部１４１ａを有している。この実施形態では、質量体１４１は、円柱形状である。案内部１４１ａは、質量体１４１の中心軸に沿って形成された貫通孔である。貫通孔は、軸部１０２ｃが挿通可能な内径を有している。
【００２８】
〈操作手段１４２、第２バネ１４２ａ〉
操作手段１４２は、第２バネ１４２ａと、操作部１４２ｂと、ケース１４２ｃとを備えている。この実施形態では、第２バネ１４２ａは、弁１０２の軸部１０２ｃのうち筐体１２１の外側に延びた部位に装着されたコイルバネである。弁１０２の軸部１０２ｃのうち筐体１２１の外側に延びた部位には、図１に示すように、第２バネ１４２ａを挿通し、さらに貫通孔からなる案内部１４１ａを通じて質量体１４１を挿通している。質量体１４１を軸部１０２ｃに挿通した後で、軸部１０２ｃの先端部には、つば状の受動部１０２ｂが設けられている。
【００２９】
〈操作部１４２ｂ〉
操作部１４２ｂは、第２バネ１４２ａの弾性反力に抗して、質量体１４１を受動部１０２ｂから離れる方向に所定距離移動させた後、質量体１４１を解放する。この実施形態では、操作部１４２ｂは、操作部材１４２ｂ１と、操作部材１４２ｂ１を駆動させるアクチュエータ１４２ｂ２とを備えている。操作部材１４２ｂ１は、略円板状の部材であり、周方向に複数の爪部１５１を備えている。爪部１５１は、操作部材１４２ｂ１の周縁部において径方向に突出している。操作部材１４２ｂ１の中心には、回転軸１４２ｂ３が設けられている。
【００３０】
〈ケース１４２ｃ〉
ケース１４２ｃは、筐体１２１の蓋体１２１ｂの外側に固定されている。この実施形態では、筐体１２１の円筒体１２１ａの開口に蓋体１２１ｂが装着されている。円筒体１２１ａの開口の縁には、蓋体１２１ｂのフランジ部１２１ｂ２が重ねられている。さらに蓋体１２１ｂは、外側に突出した段差１２１ｂ３を有している。ケース１４２ｃの一端には、当該段差１２１ｂ３に嵌まる開口１４２ｃ１を有している。当該開口には、蓋体１２１ｂの外側面に沿ったフランジ１４２ｃ２が設けられている。ケース１４２ｃには、上述した第２バネ１４２ａと、質量体１４１とが収まる空間１４２ｃ３を備えている。ケース１４２ｃの側面には、当該空間１４２ｃ３が開口したスリット１４２ｃ４が設けられている。また、当該スリット１４２ｃ４の周りには、ベース１４２ｃ５がボルト１４２ｃ６によってケース１４２ｃに固定されている。ベース１４２ｃ５には、操作部材１４２ｂ１を取り付けるための側板１４２ｃ６が取り付けられている。
【００３１】
〈爪部１５１〉
さらに蓋体１２１ｂの操作部材１４２ｂ１は、図示は省略するが軸受を介して回転軸１４２ｂ３をケース１４２ｃに固定している。ここで、操作部材１４２ｂ１は、爪部１５１のうち１つが、質量体１４１に当たり、かつ、操作部材１４２ｂ１の周方向を、軸部１０２ｃの軸方向に合わせている。
【００３２】
〈アクチュエータ１４２ｂ２〉
図１〜図３では模式的に描かれているが、回転軸１４２ｂ３は、動力伝達手段を介して、アクチュエータ１４２ｂ２（例えば、モータ）に接続されている。ここでアクチュエータ１４２ｂ２としてのモータは、制御装置に接続されている。アクチュエータ１４２ｂ２によって、回転軸１４２ｂ３が駆動し、操作部材１４２ｂ１は、適切に調整されたスピードで回転する。
【００３３】
〈圧縮ガス吐出装置１００の作用〉
操作部材１４２ｂ１が回転すると、図２に示すように、爪部１５１が質量体１４１を押し込み、質量体１４１が軸部１０２ｃに沿って移動する。このとき、質量体１４１は、第２バネ１４２ａの弾性反力に抗して、受動部１０２ｂから離れる方向に移動する。質量体１４１が所定距離移動すると、爪部１５１が質量体１４１から外れる。爪部１５１が質量体１４１から外れると、質量体１４１が解放される。図３に示すように、解放された質量体１４１は、第２バネ１４２ａの弾性反力によって弾かれて受動部１０２ｂに衝突する。質量体１４１が受動部１０２ｂに衝突すると、その反動で弁１０２が開かれる方向に動く。
【００３４】
弁１０２が開いた後、第１バネ１０３の作用によって、弁１０２は再び閉じられる。また、第２バネ１４２ａの作用によって質量体１４１は、軸部１０２ｃの所定の位置に復帰する。アクチュエータ１４２ｂ２によって、操作部材１４２ｂ１が回転すると、爪部１５１が再び質量体１４１に押し当たる。そして、質量体１４１が、受動部１０２ｂから離れる方向に移動し、解放され、第２バネ１４２ａの弾性反力によって弾かれ、受動部１０２ｂに衝突することによって、弁１０２が再び開かれる。弁１０２は第１バネ１０３の作用によって再び閉じられる。このように、操作部材１４２ｂ１が回転することによって、弁１０２が間欠的に開き、圧縮ガスが間欠的に吐出される。この圧縮ガス吐出装置１００では、吐出させるエアの圧力は、圧縮ガス室１０１内の圧力を調整することによって調整される。また、操作部材１４２ｂ１の回転速度を調整することによって、間欠的にエアを吐出させる時間的な間隔が調整される。また、第１バネ１０３の強さと、第２バネ１４２ａの強さを適切に調整することによって、弁１０２が開かれる時間が調整される。
【００３５】
この実施形態では、操作手段１４２のケース１４２ｃには、弁１０２の軸部１０２ｃの先端に対向する位置に、ストッパ１４２ｃ７が設けられている。かかるストッパ１４２ｃ７によって、弁１０２の開き具合が制限できる。ストッパ１４２ｃ７は、軸部１０２ｃの先端に対向するようにケース１４２ｃに取り付けられたボルトであり、軸部１０２ｃの先端との距離が調整できる。このため、弁１０２の開く距離が制限でき、弁１０２が開いている時間を調整できる。なお、ストッパ１４２ｃ７の構造は、かかる形態に限定されるものではない。また、ストッパ１４２ｃ７は、弁１０２を開閉させるという観点において、必ずしも必須の要素ではない。
【００３６】
弁１０２が開く際には、質量体１４１を受動部１０２ｂに衝突させる。このとき、音を小さくするため、質量体１４１と受動部１０２ｂとが衝突する部位には、少なくとも何れか一方に吸音材を取り付けてもよい。また、弁１０２が閉じる際には、弁部１０２ａが吐出口１２２に当たる。このときの音を小さくするため、弁部１０２ａと吐出口１２２とが当たる部位には、少なくとも何れか一方に吸音材を取り付けてもよい。なお、後述する他の実施例においても、部材が当たる部位には、適宜に吸音材を取り付けるとよい。圧縮ガス吐出装置１００では、操作手段１４２は、質量体１４１を、受動部１０２ｂに対し、弁１０２が開く方向に直接衝突させている。圧縮ガス吐出装置１００は、かかる形態に限定されない。
【００３７】
次に、第２実施例を説明する。
【００３８】
〈圧縮ガス吐出装置２００〉
図４は、圧縮ガス吐出装置２００を示す断面図である。圧縮ガス吐出装置２００の弁２０２は、図４に示すように、弁部２０２ａから吐出口２２２を通じて圧縮ガス室２０１の外側に延びた軸部２０２ｄを備えている。受動部２０２ｂは、当該軸部２０２ｄの先端部に設けられている。
【００３９】
〈筐体２２１〉
筐体２２１は、円筒体２２１ａと、蓋体２２１ｂとを備えている。筐体２２１の円筒体２２１ａの側面には、ガスを供給する供給口２２３が設けられている。供給口２２３は、図１に示す圧縮ガス吐出装置１００の供給口１２３と凡そ同じ構造であり、ここでは詳しい説明は省略する。蓋体２２１ｂは、円筒体２２１ａの開口を気密に塞ぐように装着されている。蓋体２２１ｂは、円筒体２２１ａの開口を気密に塞ぐ部材であり、円筒体２２１ａの開口に沿った形状を有するキャップ部２２１ｂ１と、円筒体２２１ａの開口の縁に沿って延びたフランジ部２２１ｂ２とを備えている。蓋体２２１ｂの中心には、円筒体２２１ａの内部に突出した突部２２１ｂ３を備えている。突部２２１ｂ３には、弁２０２の軸部２０２ｃの先端が挿入される挿入孔２２１ｂ４が形成されている。挿入孔２２１ｂ４の奥は、突部２２１ｂ３を径方向に貫通した横穴２２１ｂ５に繋がっている。第１バネ２０３は、弁部２０２ａの軸部２０２ｃに装着されるコイルバネである。第１バネ２０３は、突部２２１ｂ３の先端に設けられたバネ座と、弁２０２の弁部２０２ａの背面に設けられたバネ座との間に圧縮された状態で装着されている。かかる第１バネ２０３の作用によって、弁部２０２ａは吐出口２２２に押し付けられて吐出口２２２を塞いでいる。
【００４０】
〈ブロック２３０〉
筐体２２１は、円筒体２２１ａの吐出口２２２が形成された側面にブロック２３０が設けられている。ブロック２３０は、ガスを吐出する吐出路２３１と、吐出口２２２と通して延びた弁２０２の軸部２０２ｄを案内する挿通孔２３２とが形成されている。ここで、吐出路２３１は、吐出口２２２に連通しており、吐出口２２２からブロック２３０の側方に向けて湾曲している。挿通孔２３２は、吐出口２２２の前方において、ブロック２３０を貫通している。挿通孔２３２は、吐出口２２２を通して延びる弁２０２の軸部２０２ｄを挿通しうる内径を有しており、挿通された弁２０２の軸部２０２ｄを案内するとともに軸部２０２ｄをサポートしている。
【００４１】
〈衝突機構２０４〉
衝突機構２０４は、質量体２４１と操作手段２４２とに加えて、フレーム２４５と、棒材２４６と、第２バネ２４７と、第３バネ２４８とを備えている。
【００４２】
〈フレーム２４５〉
フレーム２４５は、筐体２２１またはブロック２３０に対して固定されている。フレーム２４５は、少なくとも一部が受動部２０２ｂに対向しており、受動部２０２ｂに対向する位置にガイド孔２４５ａが形成されている。この実施形態では、フレーム２４５は、受動部１０２ｂに対向する側の側面に、受動部２０２ｂに向けて突出した突部２４５ｂが設けられている。ガイド孔２４５ａは、かかる突部２４５ｂに形成されており、弁２０２の軸部２０２ｄの軸方向に沿って貫通している。
【００４３】
〈棒材２４６〉
棒材２４６は、ガイド孔２４５ａに挿通されて、弁２０２の軸部２０２ｃの軸方向に沿って延びている。棒材２４６の一端は、受動部２０２ｂに対向しており、つば状に外径方向に延びた抜け止め２４６ａを備えている。質量体２４１は、棒材２４６によって案内される案内部２４１ａを有している。質量体２４１は、ガイド孔２４５ａに挿通された棒材２４６のうち受動部２０２ｂに対向する側に延びた部位に装着されている。第２バネ２４７は、棒材２４６に装着可能なコイルばねであり、ガイド孔２４５ａに挿通された棒材２４６のうち、質量体２４１とフレーム２４５との間に装着されている。この実施形態では、第２バネ２４７は、フレーム２４５の内側と質量体２４１との間に少し圧縮した状態で装着されている。第２バネ２４７の一端は、フレーム２４５に設けられた突部２４５ｂに嵌められている。第３バネ２４８は、棒材２４６に装着可能なコイルばねであり、ガイド孔２４５ａに挿通された棒材２４６のうち受動部２０２ｂとは反対側に延びた部位に装着されている。この実施形態では、第３バネ２４８は、棒材２４６の端部に設けられたバネ座２４６ｂと、フレーム２４５の外側（ガイド孔２４５ａの周縁部）に設けられたバネ座２４５ｃとの間に少し圧縮された状態で装着されている。
【００４４】
〈操作部２４２ｂ〉
操作手段２４２は、操作部２４２ｂを備えている。操作部２４２ｂは、第２バネ２４７の弾性反力に抗して、質量体２４１を受動部２０２ｂから離れる方向に所定距離移動させた後、質量体２４１を解放する。
【００４５】
この実施形態では、操作部２４２ｂは、操作部材２４２ｂ１と、操作部材２４２ｂ１を駆動させるアクチュエータ２４２ｂ２とを備えている。操作部材２４２ｂ１は、略円盤状の部材であり、周方向に複数の爪部２５１を備えている。爪部２５１は、操作部材２４２ｂ１の周縁部において径方向に突出している。操作部材２４２ｂ１の中心には、回転軸２４２ｂ３が設けられている。操作部材２４２ｂ１の回転軸２４２ｂ３は、筐体２２１およびフレーム２４５に固定されたケース２４２ｃに固定されている。ケース２４２ｃは、操作部材２４２ｂ１の回転軸２４２ｂ３を保持している。
【００４６】
〈操作部材２４２ｂ１〉
ここで、操作部材２４２ｂ１は、爪部２５１のうち１つが、質量体２４１に当たり、かつ、操作部材２４２ｂ１の周方向を、棒材２４６の軸方向に合わせている。回転軸２４２ｂ３は、動力伝達手段を介して、アクチュエータ２４２ｂ２（例えば、モータ）に接続されている。かかる構成によって、操作部材２４２ｂ１が回転すると、爪部２５１が質量体２４１を押し込み、質量体２４１が棒材２４６に沿って移動する。このとき、質量体２４１は、第２バネ２４７の弾性反力に抗して、受動部２０２ｂから離れる方向に移動する。質量体２４１が所定距離移動すると、爪部２５１が質量体２４１から外れる。爪部２５１が質量体２４１から外れると、質量体２４１が解放される。このとき、質量体２４１は、第２バネ２４７の弾性反力によって弾かれて棒材２４６の抜け止め２４６ａに当たり、棒材２４６を受動部２０２ｂの方向へ弾く。棒材２４６は、質量体２４１が当たって弾かれると、受動部２０２ｂに衝突する。棒材２４６が受動部２０２ｂに衝突すると、その反動で弁２０２が開かれる。弁２０２が開かれると、圧縮ガス室２０１から吐出口２２２および吐出路２３１を通じてガスが吐出される。その後、図４に示すように、弁２０２は、第１バネ２０３の作用によって再び閉じられる。棒材２４６は、第３バネ２４８の弾性反力によって、受動部２０２ｂから離れた元の位置に戻る。
【００４７】
〈圧縮ガス吐出装置２００の作用〉
この圧縮ガス吐出装置２００は、アクチュエータ２４２ｂ２によって、操作部材２４２ｂ１が回転する。操作部材２４２ｂ１が回転することによって、弁２０２が間欠的に開き、圧縮ガスが間欠的に吐出される。圧縮ガス吐出装置２００は、圧縮ガス室２０１内の圧力を調整することによって、吐出させるエアの圧力を調整することができる。また、圧縮ガス吐出装置２００は、操作部材２４２ｂ１の回転速度を調整することによって、間欠的にエアを吐出させる時間的な間隔を調整することができる。また、圧縮ガス吐出装置２００は、第１バネ２０３の強さと、第２バネ２４７の強さを適切に調整することによって、弁２０２が開かれる時間を調整することができる。圧縮ガス吐出装置２００では、操作手段２４２は、質量体２４１を、受動部２０２ｂに対し、弁１０２が開く方向に間接的に衝突させている。
【００４８】
次に、第３実施例を説明する。
【００４９】
〈圧縮ガス吐出装置３００〉
図５は、圧縮ガス吐出装置３００を示す部分断面図である。圧縮ガス吐出装置３００の弁３０２は、図５に示すように、弁部３０２ａから吐出口３２２を通じて圧縮ガス室３０１の外側に延びた軸部３０２ｄを備えている。受動部３０２ｂは、当該軸部３０２ｄの先端部に設けられている。圧縮ガス室３０１を構成する筐体３２１および筐体３２１には、ブロック３３０が取り付けられている。ここで、図５は、圧縮ガス室３０１およびブロック３３０の一部を破断した状態を図示している。
【００５０】
〈筐体３２１〉
詳しくは、圧縮ガス室３０１の筐体３２１は、図５に示すように、円筒体３２１ａと、蓋体３２１ｂとを備えている。円筒体３２１ａの側面には、ガスを供給する供給口３２３が設けられている。蓋体３２１ｂは、円筒体３２１ａの開口を気密に塞ぐ部材であり、円筒体３２１ａの開口に沿った形状を有するキャップ部３２１ｂ１と、円筒体３２１ａの開口の縁に沿って延びたフランジ部３２１ｂ２とを備えている。蓋体３２１ｂの中心に突出した突部３２１ｂ３には、弁３０２の軸部３０２ｃの先端が挿入される挿入孔３２１ｂ４が形成されている。挿入孔３２１ｂ４の奥には、貫通した横穴３２１ｂ５が形成されている。第１バネ３０３は、弁部３０２ａの軸部３０２ｃに装着され、突部３２１ｂ３の先端に設けられたバネ座と、弁３０２の弁部３０２ａの背面に設けられたバネ座との間に圧縮された状態で装着されている。かかる第１バネ３０３の作用によって、弁部３０２ａは吐出口３２２に押し付けられて吐出口３２２を塞いでいる。
【００５１】
〈ブロック３３０〉
円筒体３２１ａの吐出口３２２が形成された側面には、ブロック３３０が設けられている。ブロック３３０は、ガスを吐出する吐出路３３１と、吐出口３２２と通して延びた弁３０２の軸部３０２ｄを案内する挿通孔３３２とが形成されている。ここで、吐出路３３１は、吐出口３２２に連通しており、吐出口３２２からブロック３３０の側方に向けて湾曲している。挿通孔３３２は、吐出口３２２の前方において、ブロック３３０を貫通している。かかる挿通孔３３２は、弁３０２の軸部３０２ｄが通され、軸部３０２ｄを案内するとともに軸部３０２ｄをサポートしている。
【００５２】
〈衝突機構３０４〉
衝突機構３０４は、質量体３４１と操作手段３４２とに加えて、第２バネ３４３と、第３バネ３４４とを備えている。
【００５３】
〈質量体３４１〉
質量体３４１は、扇形形状の部材である。ここで、質量体３４１は、扇形形状の部材としているが、完全な扇形でなくてもよい。質量体３４１は、回転軸３４１ａと、衝突部３４１ｂと、被操作部３４１ｃとを備えている。ここで、回転軸３４１ａは、扇形の中心部に設けられている。衝突部３４１ｂは、扇形の周方向の一端部に設けられている。被操作部３４１ｃは、質量体３４１の任意の位置に設けることができるが、この実施形態では、扇形の周方向の他端部（衝突部３４１ｂとは反対側の端部）に設けられている。
【００５４】
質量体３４１の衝突部３４１ｂは、当該扇形の周方向に沿って、受動部３０２ｂに対向している。質量体３４１の回転軸３４１ａは回転可能な状態で、筐体３２１またはブロック３３０に対して固定されている。この実施形態では、質量体３４１の回転軸３４１ａは、ブロック３３０に回転可能な状態で固定されている。第２バネ３４３は、回転軸３４１ａを中心として、質量体３４１の姿勢を回転方向に対して弾性的に保持している。この実施形態では、第２バネ３４３は、回転軸３４１ａを中心として配置されたリング状のバネである。第２バネ３４３の一端は、ブロック３３０に設けられた支点３６１に取り付けられている。第２バネ３４３の他端は、質量体３４１の側面に設けられた支点３６２に取り付けられている。第３バネ３４４は、コイルバネであり、質量体３４１の衝突部３４１ｂが設けられた側の側面に対向するように、ブロック３３０に形成された穴に装着されている。第３バネ３４４の一端は、ブロック３３０から突出している。
【００５５】
〈操作手段３４２〉
操作手段３４２は、操作部３４２ｂを備えている。操作部３４２ｂは、被操作部３４１ｃを操作し、第２バネ３４３に抗して、衝突部３４１ｂが受動部３０２ｂから離れる方向に所定の角度、質量体３４１を回転させた後、質量体３４１を解放する。
【００５６】
この実施形態では、操作部３４２ｂは、操作部材３４２ｂ１と、操作部材３４２ｂ１を駆動させるアクチュエータ３４２ｂ２とを備えている。操作部材３４２ｂ１は、略円盤状の部材であり、周方向に複数の爪部３５１を備えている。爪部３５１は、操作部材３４２ｂ１の周縁部において径方向に突出している。操作部材３４２ｂ１の中心には、回転軸３４２ｂ３が設けられている。操作部材３４２ｂ１の回転軸３４２ｂ３は、ブロック３３０に固定されたフレーム３４２ｃに固定されている。フレーム３４２ｃは、操作部材３４２ｂ１の回転軸３４２ｂ３を保持している。
【００５７】
ここで、質量体３４１の被操作部３４１ｃの軌道に対して爪部３５１の軌道が合うように、質量体３４１に対して操作部材３４２ｂ１を配置している。詳しくは、爪部３５１のうち１つが質量体３４１の被操作部３４１ｃに当たり、かつ、操作部材３４２ｂ１の周方向における爪部３５１の軌道と、扇形の質量体３４１の周方向における被操作部３４１ｃの軌道とが重なっている。
【００５８】
操作部材３４２ｂ１の回転軸３４２ｂ３は、動力伝達手段を介して、アクチュエータ３４２ｂ２（例えば、モータ）に接続されている。かかる構成によって、操作部材３４２ｂ１が回転すると、爪部３５１が質量体３４１の被操作部３４１ｃに当たり、第２バネ３４３の弾性反力に抗して質量体３４１を回動させる。この際、質量体３４１の周方向において、質量体３４１の衝突部３４１ｂが、受動部３０２ｂから離れる方向に移動する。質量体３４１が所定距離移動すると、爪部３５１が質量体３４１から外れる。爪部３５１が質量体３４１から外れると、質量体３４１が解放される。
【００５９】
このとき、質量体３４１は、第２バネ３４３の弾性反力によって弾かれて、質量体３４１の衝突部３４１ｂが、弁３０２の受動部３０２ｂに衝突する。圧縮ガス吐出装置３００では、操作手段３４２は、質量体３４１を、受動部３０２ｂに対し、弁３０２が開く方向に直接衝突させている。質量体３４１が受動部３０２ｂに衝突すると、その反動で弁３０２が開かれる。弁３０２が開かれると、圧縮ガス室３０１から吐出口３２２および吐出路３３１を通じてガスが吐出される。その後、弁３０２は第１バネ３０３の作用によって再び閉じられる。質量体３４１は、図５に示すように、第２バネ３４３の弾性反力によって、衝突部３４１ｂが受動部３０２ｂから離れた元の位置に戻る。また、第３バネ３４４は、質量体３４１が第２バネ３４３によって弾かれた際に、質量体３４１を受け止め、質量体３４１の側面がブロック３３０に当たるのを防止している。この場合、アクチュエータ３４２ｂ２によって、操作部材３４２ｂ１が回転することによって、弁３０２が間欠的に開き、圧縮ガスが間欠的に吐出される。
【００６０】
次に、第４実施例を説明する。
【００６１】
〈圧縮ガス吐出装置４００〉
図６および図７は、第４実施例に係る圧縮ガス吐出装置４００を示す部分断面図である。圧縮ガス吐出装置４００の弁４０２は、図６に示すように、弁部４０２ａから吐出口４２２を通じて圧縮ガス室４０１の外側に延びた軸部４０２ｄを備えている。受動部４０２ｂは、当該軸部４０２ｄの先端部に設けられている。
【００６２】
〈筐体４２１〉
筐体４２１は、円筒体４２１ａと、蓋体４２１ｂとを備えている。円筒体４２１ａの側面には、供給口４２３が設けられている。蓋体４２１ｂは、円筒体４２１ａの開口に嵌まるキャップ部４２１ｂ１と、円筒体２２１ａの開口の縁に沿って延びるフランジ部４２１ｂ２とを備えている。蓋体４２１ｂの中心において突出した突部４２１ｂ３には、挿入孔４２１ｂ４が形成されている。挿入孔４２１ｂ４には、弁４０２の軸部４０２ｃの先端が挿入される。挿入孔４２１ｂ４の奥には、横穴４２１ｂ５が形成されている。第１バネ４０３は、弁部４０２ａの軸部４０２ｃに装着されるコイルバネである。第１バネ４０３は、突部４２１ｂ３の先端に設けられたバネ座と、弁部４０２ａの背面に設けられたバネ座との間に圧縮された状態で装着されている。かかる第１バネ４０３の作用によって、弁部４０２ａは吐出口４２２に押し付けられて吐出口４２２を塞いでいる。
【００６３】
〈ブロック４３０〉
円筒体４２１ａの吐出口４２２が形成された側面にブロック４３０が設けられている。ブロック４３０は、ガスを吐出する吐出路４３１と、吐出口４２２を通して延びた弁４０２の軸部４０２ｄを案内する挿通孔４３２とが形成されている。挿通孔４３２は、吐出口４２２の前方において、ブロック４３０を貫通している。挿通孔４３２は、挿通された弁４０２の軸部４０２ｄを案内するとともに軸部４０２ｄをサポートしている。弁４０２の軸部４０２ｄは、挿通孔４３２を通じてブロック４３０から突出している。軸部４０２ｄの先端には、受動部４０２ｂが設けられている。この実施形態では、弁４０２の受動部４０２ｂを軸部４０２ｄの軸方向に押すと、弁部４０２ａが吐出口４２２から離れて、弁４０２が開かれる。ブロック４３０には、受動部４０２ｂが押し込まれる量を規制するストッパ４３３が設けられている。ストッパ４３３は、ブロック４３０の側面から突出した突起である。
【００６４】
ここで、第４実施例では、衝突機構４０４の操作手段４４２は、ソレノイドアクチュエータ４５０を備えている。具体的には、この実施形態では、操作手段４４２は、ソレノイドアクチュエータ４５０に加えて揺動軸４５１と、板バネ４５２と、第２バネ４５３と、吸着板４５４とを備えている。
【００６５】
揺動軸４５１は、一端に揺動支点４５１ａが設けられており、揺動軸４５１の一側面に沿って板バネ４５２が取り付けられている。質量体４４１は、当該板バネ４５２の先端に取り付けられている。揺動軸４５１の揺動支点４５１ａは、ブロック４３０から突出した弁４０２の軸部４０２ｄから離れた位置に配置されている。揺動軸４５１の揺動方向において、板バネ４５２の先端に設けられた質量体４４１の軌道上に、軸部４０２ｄの先端に設けられた受動部４０２ｂが重なるように揺動軸４５１が配置されている。第２バネ４５３は、揺動軸４５１を挟んで受動部４０２ｂとは反対側に固定された支点４５３ａと、揺動軸４５１の中間位置に設けられた接続部４５３ｂとの間に引っ張られた状態で取り付けられている。かかる第２バネ４５３の作用によって、揺動軸４５１の先端に設けられた質量体４４１は、受動部４０２ｂから離れる方向に引っ張られる。揺動軸４５１を挟んで受動部４０２ｂとは反対側には、揺動軸４５１の規定位置を定める揺動ストッパ４５１ｃが設けられている。
【００６６】
また、吸着板４５４は、揺動軸４５１に取り付けられた板バネ４５２の基端部に取り付けられている。吸着板４５４は、鉄のような強磁性体からなる板材であり、例えば、板バネ４５２に溶接されているとよい。ソレノイドアクチュエータ４５０は、鉄心４５０ａの周りにコイル４５０ｂを巻いた電磁石である。ソレノイドアクチュエータ４５０の鉄心４５０ａの一端は、揺動軸４５１の揺動方向において、吸着板４５４から少し離れた位置に設けられている。ここで、図示は省略するが、ソレノイドアクチュエータ４５０、揺動支点４５１ａ、揺動ストッパ４５１ｃおよび第２バネ４５３の支点４５３ａは、ブロック４３０および筐体４２１に対して固定的に配置されている。
【００６７】
図６は、ソレノイドアクチュエータ４５０がＯＦＦの状態が示されている。図７には、ソレノイドアクチュエータ４５０がＯＮの状態で、鉄心４５０ａに吸着板４５４が吸着する位置に揺動軸４５１が揺動した状態であり、かつ、板バネ４５２が自然状態である状態が図示されている。
【００６８】
ソレノイドアクチュエータ４５０がＯＦＦの場合には、図６に示すように、第２バネ４５３の作用によって、揺動軸４５１は受動部４０２ｂから離れる方向に揺動しており、質量体４４１は受動部４０２ｂから離れている。このとき、弁４０２は、第１バネ４０３の作用によって、弁部２０２ａが吐出口４２２に押し付けられており、弁４０２が閉じられている。ソレノイドアクチュエータ４５０がＯＮになると、図７に示すように、第２バネ４５３に抗して揺動軸４５１が揺動し、吸着板４５４がソレノイドアクチュエータ４５０の鉄心４５０ａに吸着する。この際、吸着板４５４がソレノイドアクチュエータ４５０の鉄心４５０ａに当たった際、質量体４４１の慣性力で、吸着板４５４を基点に板バネ４５２は受動部４０２ｂの方に向けて変形する。そして、質量体４４１は、吸着板４５４を基点に回動する。この際、質量体４４１の軌跡は、質量体４４１の回動する半径が短くなる。このため、質量体４４１は速度が速くなって受動部４０２ｂに衝突する。ここで質量体４４１は、受動部４０２ｂに対し、弁４０２が開く方向に直接衝突させている。なお、質量体４４１は、ストッパ４３３に当たるので、受動部４０２ｂを押し込みすぎることはない。質量体４４１が受動部４０２ｂに衝突すると、弁４０２が開かれる。
【００６９】
図７に示すように、質量体４４１は、衝突後、板バネ４５２の変形が復元することによって、受動部４０２ｂから少し離れる。弁４０２は、第１バネ４０３の作用によって再び閉じられる。また、ソレノイドアクチュエータ４５０がＯＦＦになると、第２バネ４５３の作用によって、揺動軸４５１はストッパ４３３に当たる規定位置に戻る。この場合、ソレノイドアクチュエータ４５０によって、質量体４４１を操作することができ、弁４０２を適宜に開くことができる。そして、ソレノイドアクチュエータ４５０のＯＮ，ＯＦＦを切り替えることによって、弁４０２を間欠的に開くことができる。このように、操作手段４４２は、質量体４４１を、受動部４０２ｂに対して、弁４０２が開く方向に直接または間接的に衝突させる操作部４４２ｂを備えているとよい。この実施形態では、操作手段４４２は、ソレノイドアクチュエータ４５０を備えている。なお、ソレノイドアクチュエータ４５０を備えた操作手段４４２の構成は、上記実施例に限定されない。
【００７０】
次に、第５実施例を説明する。
第５実施例でも、衝突機構５０４の操作手段５４２として、ソレノイドアクチュエータ５５０を備えている。具体的には、この実施形態では、ソレノイドアクチュエータ５５０に加えて、磁性体５６１と、第２バネ５６２と、第３バネ５６３とを備えている。
【００７１】
〈圧縮ガス吐出装置５００〉
図８から図１０は、第５実施例に係る圧縮ガス吐出装置５００を示す部分断面図である。圧縮ガス吐出装置５００は、圧縮ガス室５０１および弁５０２の構造が、第４実施例にかかる圧縮ガス吐出装置４００の圧縮ガス室４０１および弁４０２と凡そ同じである。ここで、第４実施例では、４００番台の符号が付けられているが、図８から図１０において、圧縮ガス吐出装置５００の圧縮ガス室５０１および弁５０２には、圧縮ガス室４０１および弁４０２に対応する部位に、５００番台の対応符号を付しており、当該部位についての重複する説明を省略する。この実施形態では、弁５０２は、図８に示すように、軸部５０２ｄを備えている。軸部５０２ｄは、弁部５０２ａから吐出口５２２を通じて圧縮ガス室５０１の外側に延びている。また、円筒体５２１ａの吐出口５２２が形成された側面には、ブロック５３０が設けられている。
【００７２】
〈ブロック５３０〉
ブロック５３０は、ガスを吐出する吐出路５３１と、吐出口５２２を通して延びた弁５０２の軸部５０２ｄを案内する挿通孔５３２と、ソレノイドアクチュエータ５５０を収容する収容部５３３とを備えている。吐出路５３１は、吐出口５２２の前方から側方に開口するようにブロック５３０に形成されている。挿通孔５３２は、吐出口５２２の前方において吐出路５３１を区画するブロック５３０を貫通し、収容部５３３に到達している。挿通孔５３２は、挿通された弁５０２の軸部５０２ｄを案内するとともに軸部５０２ｄをサポートしている。弁５０２の軸部５０２ｄは、挿通孔５３２を通じてブロック５３０から突出している。軸部５０２ｄの先端には、受動部５０２ｂが設けられている。この実施形態では、弁５０２の受動部５０２ｂを軸部５０２ｄの軸方向に押すと、弁部５０２ａが吐出口５２２から離れて、弁５０２が開かれる。収容部５３３は、挿通孔５３２からさらに前方に延びた円筒状の収容空間を備えている。収容部５３３の先端には、フランジ５３３ａが設けられている。フランジ５３３ａには、プレート５３４が取り付けられている。プレート５３４には、ソレノイドアクチュエータ５５０が収容部５３３に収容された状態で支持されている。
【００７３】
〈ソレノイドアクチュエータ５５０〉
ソレノイドアクチュエータ５５０は、図８に示すように、中空の芯材５５１と、コイル５５２とを備えている。
【００７４】
芯材５５１は、中空の軸で、軸方向の両側にフランジ５５１ａ、５５１ｂが設けられている。両側のフランジ５５１ａ、５５１ｂの間には、胴部５５１ｃが設けられている。コイル５５２は、かかる胴部５５１ｃの外周に巻かれている。
【００７５】
芯材５５１の中空部は、吐出口５２２に向けられている。この実施形態では、吐出口５２２の前方において、挿通孔５３２が、吐出路５３１を区画するブロック５３０を貫通し、収容部５３３に到達している。挿通孔５３２には、弁５０２の軸部５０２ｄが挿通しており、軸部５０２ｄの先端に弁５０２の受動部５０２ｂが設けられている。芯材５５１の中空部５５１ａは、吐出口５２２の前方において吐出路５３１を区画するブロック５３０を介在して、吐出口５２２に対向している。この実施形態では、芯材５５１の中空部５５１ａは、吐出口５２２から延びた、弁５０２の軸部５０２ｄの先端に設けられた弁５０２の受動部５０２に対向している。
【００７６】
芯材５５１の中空部５５１ａには、後述する質量体５４１の棒部５４１ａが挿通されている。この実施形態では、芯材５５１の中空部５５１ａには、管材５５１ａ２が装着されている。管材５５１ａ２には、棒部５４１ａを軸方向にガイドするガイド５５１ａ１（滑り軸受）が装着されている。この実施形態では、管材５５１ａ２には、２つのガイド５５１ａ１が軸方向に離れて設けられている。
【００７７】
〈磁性体５６１〉
磁性体５６１は、芯材５５１から突出した質量体５４１の棒部５４１ａが挿通される挿通部５６１ａを有している。この実施形態では、磁性体５６１は、略円形のブロックであり、挿通部５６１ａとして中心に棒部５４１ａが挿通される貫通孔が形成されている。かかる貫通孔の内周面には、滑り材５６１ａ１が装着されている。磁性体５６１の外周面には、第２バネ５６２の一端が装着されるバネ座５６１ｂが設けられている。
【００７８】
〈質量体５４１〉
質量体５４１は、棒部５４１ａと、質量部５４１ｂとを備えている。質量部５４１ｂは、棒部５４１ａの一端に取り付けられている。質量体５４１は、非磁性体で、所要の質量を有している。この実施形態では、質量体５４１は、オーステナイト系ステンレスである。
【００７９】
質量体５４１の棒部５４１ａは、磁性体５６１の挿通部５６１ａと、芯材５５１の中空部５５１ａとに順に挿通されている。また、質量体５４１の棒部５４１ａには、磁性体５６１と軸方向において係合する第１係合部５４１ａ１と、芯材５５１と軸方向において係合する第２係合部５４１ａ２とを有している。
【００８０】
この実施形態では、質量体５４１は、棒部５４１ａを構成する棒材と、質量部５４１ｂを構成するブロック材と備えている。棒材（５４１ａ）は、一端にねじ５４１ａ３が形成されており、質量部５４１ｂを構成するブロック材（５４１ｂ）には、かかる棒材５４１ａの一端が装着されるねじ穴５４１ｂ１が形成されている。そして、棒部５４１ａとしての棒材を、質量部５４１ｂとしてのブロック材に取り付けた後、ねじ５４１ａ３にナット５４１ａ４を取り付けて質量部５４１ｂを、棒部５４１ａとしての棒材に固定している。また、質量部５４１ｂには、第３バネ５６３を装着するバネ座５４１ｂ２が設けられている。
【００８１】
第１係合部５４１ａ１は、芯材５５１に挿通された棒部５４１ａのうち、質量部５４１ｂが設けられた側に延びた部位において、径方向に突出した突起である。第２係合部５４１ａ２は、弁５０２の受動部５０２ｂ側に延びた部位において径方向に突出した突起である。この実施形態では、弁５０２の受動部５０２ｂ側に延びた棒部５４１ａの先端（芯材の中空部から突出した棒部の端部）は、受動部５０２ｂに直接衝突する衝突部５４３となる。なお、芯材５５１の中空部５５１ａから突出した棒部５４１ａの端部と、受動部５０２ｂとの間に介在する部材を設け、棒部５４１ａの端部が受動部５０２ｂに対して間接的に衝突するように構成してもよい。
【００８２】
第２バネ５６２は、磁性体５６１と芯材５５１との間に圧縮された状態で装着されている。第３バネ５６３は、磁性体５６１と質量部５４１ｂとの間に圧縮した状態で装着されている。
【００８３】
この圧縮ガス吐出装置５００は、ソレノイドアクチュエータ５５０への通電が切られている状態では、図８に示すように、第２バネ５６２と第３バネ５６３の弾性反力によって、質量体５４１の棒部５４１ａの先端に設けられた衝突部５４３が、弁５０２の受動部５０２ｂから離れている。この状態では、弁５０２は、第１バネ５０３の弾性反力によって、閉じられている。また、圧縮ガス室５０１には、供給口５２３から圧縮ガスが供給されている。
【００８４】
次に、ソレノイドアクチュエータ５５０に通電されると、図９に示すように、磁性体５６１がソレノイドアクチュエータ５５０に勢いよく引きつけられる。質量体５４１は、第１係合部５４１ａ１が係合しており、磁性体５６１と一緒に、ソレノイドアクチュエータ５５０側へ移動する。この際、棒部５４１ａの先端に設けられた衝突部５４３が、弁５０２の受動部５０２ｂに衝突する。棒部５４１ａの先端に設けられた衝突部５４３が衝突すると、図９に示すように、弁５０２が開かれる。
【００８５】
この実施形態では、棒部５４１ａの先端に設けられた衝突部５４３が受動部５０２ｂに衝突した後、図１０に示すように、第３バネ５６３の弾性反力によって、質量体５４１は、衝突部５４３が受動部５０２ｂから離れるように引き戻される。また、弁５０２は、第１バネ５０３の作用によって閉じられる。なお、この実施形態では、質量体５４１は、第３バネ５６３の作用によって引き戻されるが、仮に第３バネ５６３がない場合でも、弁５０２は、第１バネ５０３の作用によって閉じられる。
【００８６】
そして、ソレノイドアクチュエータ５５０への通電が切断されると、第２バネ５６２の弾性反力によって、図８に示すように、磁性体５６１が芯材５５１から離れた位置に戻る。この際、第２係合部５４１ａ２、第２バネ５６２および第３バネ５６３によって、質量体５４１および磁性体５６１の位置が規定される。棒部５４１ａに設けられた第２係合部５４１ａ２が、芯材５５１のガイド５５１ａ１に当たる位置まで、質量体５４１が移動する。そして、第２バネ５６２の弾性反力と第３バネ５６３の弾性反力のバランスにより、棒部５４１ａに対する磁性体５６１の位置が決まる。そして、この状態からソレノイドアクチュエータ５５０に通電すると、図９に示すように、質量体５４１の衝突部５４３を受動部５０２ｂに衝突させて、弁５０２を再び開くことができる。
【００８７】
このように、ソレノイドアクチュエータ５５０をＯＮ、ＯＦＦすることによって、弁５０２を開閉させることができる。開いた弁５０２は、第１バネ１０３の弾性反力によって、直ぐに閉じる。第５実施例では、ソレノイドアクチュエータ５５０を備えた操作手段５４２の構成例を例示した。このように、ソレノイドアクチュエータを備えた操作手段は、上記の実施例に限定されず、種々の構成を採用することができる。
【００８８】
以上、ここで提案される圧縮ガス吐出装置について、種々の形態を例示した。ここで提案される圧縮ガス吐出装置は、弁の受動部に対し、弁が開く方向に直接または間接的に質量体を衝突させる機構を備えている。この圧縮ガス吐出装置は、質量体が、受動部に対し、弁が開く方向に直接または間接的に衝突したときに、弁が開く。弁は、第１バネの作用によって直ぐに閉じる。質量体を繰り返し衝突させることによって、弁が間欠的に開く。ここで提案される圧縮ガス吐出装置は、間欠的に吹き出される圧縮ガスを利用した管路の清掃に好適である。圧縮ガス吐出装置は、上述した実施形態に限定されず、圧縮ガス吐出装置の各構成要素は、特に言及されない限りにおいて種々の変更が可能である。
【符号の説明】
【００８９】
１００、２００、３００、４００、５００  圧縮ガス吐出装置
１０１、２０１、３０１、４０１、５０１  圧縮ガス室
１０２、２０２、３０２、４０２、５０２  弁
１０２ａ、２０２ａ、３０２ａ、４０２ａ、５０２ａ  弁部
１０２ｂ、２０２ｂ、３０２ｂ、４０２ｂ、５０２ｂ  受動部
１０２ｃ、２０２ｃ、３０２ｃ、４０２ｃ、５０２ｃ  軸部
１０３、２０３、３０３、４０３、５０３  第１バネ
１０４、２０４、３０４、４０４、５０４  衝突機構
１２１、２２１、３２１、４２１、５２１  筐体
１２１ａ、２２１ａ、３２１ａ、４２１ａ、５２１ａ  円筒体
１２１ｂ、２２１ｂ、３２１ｂ、４２１ｂ、５２１ｂ  蓋体
１２１ｂ１、２２１ｂ１、３２１ｂ１、４２１ｂ１、５２１ｂ１  キャップ部
１２１ｂ２、２２１ｂ２、３２１ｂ２、４２１ｂ２、５２１ｂ２  フランジ部
１２２、２２２、３２２、４２２、５２２  吐出口
１２３、２２３、３２３、４２３、５２３  供給口
１２４  貫通孔
１２５  シール
１４１、２４１、３４１、４４１、５４１  質量体
１４１ａ、２４１ａ  案内部
１４２、２４２、３４２、４４２、５４２  操作手段
１４２ａ  第２バネ
１４２ｂ、２４２ｂ、３４２ｂ、４４２ｂ、５４２ｂ  操作部
１４２ｂ１、２４２ｂ１、３４２ｂ１  操作部材
１４２ｂ２、２４２ｂ２、３４２ｂ２  アクチュエータ
１４２ｂ３、２４２ｂ３、３４２ｂ３  回転軸
１５１、２５１、３５１  爪部
２３０、３３０、４３０、５３０  ブロック
２３１、３３１、４３１、５３１  吐出路
２３２、３３２、４３２、５３２  挿通孔
２４６  棒材
２４７  第２バネ
２４８  第３バネ
３４１ａ  回転軸
３４１ｂ  衝突部
３４１ｃ  被操作部
３４３  第２バネ
３４４  第３バネ
４５０、５５０  ソレノイドアクチュエータ
４５０ａ  鉄心
５５０ａ  芯材
４５０ｂ、５５０ｂ  コイル
４５１  揺動軸
４５１ａ  揺動支点
４５１ｃ  揺動ストッパ
４５２  板バネ
４５３  第２バネ
４５３ａ  支点
４５３ｂ  接続部
４５４  吸着板
５３３  収容部
５４１ａ  棒部
５４１ａ１  係合部
５４１ａ２  ストッパ
５４１ｂ  質量部
５４３  衝突部
５６１  磁性体
５６２  第２バネ
５６３  第３バネ
【図１】
2016137443.tif 000003
【図２】
2016137443.tif 000004
【図３】
2016137443.tif 000005
【図４】
2016137443.tif 000006
【図５】
2016137443.tif 000007
【図６】
2016137443.tif 000008
【図７】
2016137443.tif 000009
【図８】
2016137443.tif 000010
【図９】
2016137443.tif 000011
【図１０】
2016137443.tif 000012